(57)【特許請求の範囲】
【請求項１】
上下方向において上面及び下面を有する板状又はシート状の対象物であって前記上面及び前記下面に上側信号線及び下側信号線が夫々形成された対象物と接続可能なコネクタであって、
前記コネクタは、第１端子と、第２端子と、絶縁部材と、ハウジングとを備えており、
前記第１端子は、前記ハウジングに保持されており、
前記第１端子は、上顎部と、前記上下方向において前記上顎部よりも下方に位置する下顎部とを有しており、
前記上顎部には、少なくとも前記上下方向において移動可能となるように上側接点が設けられており、
前記下顎部には、下側受部が設けられており、
前記第２端子は、前記第１端子と別体であり、前記ハウジングに保持されており、
前記第２端子には、下側接点と、前記下側接点の下方に位置する押付部とが設けられており、
前記対象物が前記コネクタに接続されたとき、前記絶縁部材は、前記押付部と前記下側受部とに挟まれ、前記第１端子と前記第２端子とを絶縁しており、
前記対象物が前記コネクタに接続されたとき、前記上顎部は前記上側接点を前記上側信号線に押し付けており、それによって、前記下側信号線が前記下側接点を下方に押圧すると共に前記押付部が前記絶縁部材を前記下側受部に対して押し付ける
コネクタ。
【請求項２】
請求項１記載のコネクタであって、
前記第２端子は、支持部と、少なくとも前記上下方向において移動可能となるように前記支持部に支持された被支持部とを有しており、
前記下側接点と前記押付部とは、前記被支持部に設けられており、
前記対象物が前記コネクタに接続されたとき、前記被支持部と前記絶縁部材とは、前記対象物と前記下側受部との間に挟まれている
コネクタ。
【請求項３】
請求項１又は請求項２記載のコネクタであって、
前記下側受部は、少なくとも前記上下方向において移動可能となるように前記下顎部に設けられている
コネクタ。
【請求項４】
請求項１乃至請求項３のいずれかに記載のコネクタであって、
前記絶縁部材は、前記ハウジングとは別体である
コネクタ。
【請求項５】
請求項１乃至請求項４のいずれかに記載のコネクタであって、
前記対象物が前記コネクタに接続されたとき、前記対象物は前記上下方向において前記上側接点と前記下側接点に挟まれている
コネクタ。
【請求項６】
請求項５記載のコネクタであって、
前記上下方向に平行な直線を想定した場合に、前記上側接点、前記下側接点、前記押付部、前記絶縁部材及び前記下側受部は、前記想定された直線上に位置している
コネクタ。
【請求項７】
請求項１乃至請求項６のいずれかに記載のコネクタであって、
前記コネクタは、互いに別体である２以上の前記第１端子と、互いに別体である２以上の前記第２端子とを備えており、
前記第１端子は、前記第２端子と夫々対応しており、
前記ハウジングは、前記２以上の第１端子が前記上下方向と直交するピッチ方向に並び且つ前記２以上の第２端子が前記ピッチ方向に並ぶように、前記第１端子と前記第２端子とを保持しており、
前記第１端子の一つと、当該第１端子に対応する前記第２端子とは、前記ピッチ方向において、同じ位置に位置している
コネクタ。
【請求項８】
請求項７記載のコネクタであって、
前記絶縁部材は、互いに別体である２以上の絶縁部を備えており、
前記絶縁部は、前記第２端子に夫々対応して設けられている
コネクタ。
【請求項９】
請求項７記載のコネクタであって、
前記絶縁部材は、複数の絶縁部を有する単一の部材からなり、
前記絶縁部は、前記第２端子に夫々対応して設けられている
コネクタ。
【発明の詳細な説明】
【技術分野】
【０００１】
本発明は、ＦＰＣ（Flexible Printed Circuit）やＦＦＣ（Flexible Flat Cable）のような板状又はシート状の対象物と接続するコネクタに関し、特に、両面に信号線を有するような対象物と接続するコネクタに関する。
【背景技術】
【０００２】
特許文献１は、この種のコネクタを開示している。図２４を参照すると、特許文献１のコネクタ９００は、導電体からなる第１端子９１０と、導電体からなる第２端子９２０と、絶縁体からなるハウジング９３０と、絶縁体からなるアクチュエータ９４０とを備えている。アクチュエータ９４０を開いた状態において、対象物９５０をコネクタ９００に挿入する。その後、図２４に示されるようにアクチュエータ９４０を閉じると、第１端子９１０が変形し、第１端子９１０と第２端子９２０が対象物９５０を挟み込む。これによって、対象物９５０の両面に形成された信号線と第１端子９１０及び第２端子９２０を接続する。
【先行技術文献】
【特許文献】
【０００３】
【特許文献１】特開２００４−２０６９８７号公報
【発明の概要】
【発明が解決しようとする課題】
【０００４】
本発明は、両面に信号線を有するような対象物と接続するコネクタであって小型化されたコネクタを提供することを目的とする。
【課題を解決するための手段】
【０００５】
本発明は、第１のコネクタとして、
上下方向において上面及び下面を有する板状又はシート状の対象物であって前記上面及び前記下面に上側信号線及び下側信号線が夫々形成された対象物と接続可能なコネクタであって、
前記コネクタは、第１端子と、第２端子と、絶縁部材と、ハウジングとを備えており、
前記第１端子は、前記ハウジングに保持されており、
前記第１端子は、上顎部と、前記上下方向において前記上顎部よりも下方に位置する下顎部とを有しており、
前記上顎部には、少なくとも前記上下方向において移動可能となるように上側接点が設けられており、
前記下顎部には、下側受部が設けられており、
前記第２端子は、前記第１端子と別体であり、前記ハウジングに保持されており、
前記第２端子には、下側接点と、前記下側接点の下方に位置する押付部とが設けられており、
前記対象物が前記コネクタに接続されたとき、前記絶縁部材は、前記押付部と前記下側受部とに挟まれ、前記第１端子と前記第２端子とを絶縁しており、
前記対象物が前記コネクタに接続されたとき、前記上顎部は前記上側接点を前記上側信号線に押し付けており、それによって、前記下側信号線が前記下側接点を下方に押圧すると共に前記押付部が前記絶縁部材を前記下側受部に対して押し付ける
コネクタを提供する。
【０００６】
また、本発明は、第２のコネクタとして、第１のコネクタであって、
前記第２端子は、支持部と、少なくとも前記上下方向において移動可能となるように前記支持部に支持された被支持部とを有しており、
前記下側接点と前記押付部とは、前記被支持部に設けられており、
前記対象物が前記コネクタに接続されたとき、前記被支持部と前記絶縁部材とは、前記対象物と前記下側受部との間に挟まれている
コネクタを提供する。
【０００７】
また、本発明は、第３のコネクタとして、第１又は第２のコネクタであって、
前記下側受部は、少なくとも前記上下方向において移動可能となるように前記下顎部に設けられている
コネクタを提供する。
【０００８】
また、本発明は、第４のコネクタとして、第１乃至第３のいずれかのコネクタであって、
前記絶縁部材は、前記ハウジングとは別体である
コネクタを提供する。
【０００９】
また、本発明は、第５のコネクタとして、第１乃至第４のいずれかのコネクタであって、
前記対象物が前記コネクタに接続されたとき、前記対象物は前記上下方向において前記上側接点と前記下側接点に挟まれている
コネクタを提供する。
【００１０】
また、本発明は、第６のコネクタとして、第５のコネクタであって、
前記上下方向に平行な直線を想定した場合に、前記上側接点、前記下側接点、前記押付部、前記絶縁部材及び前記下側受部は、前記想定された直線上に位置している
コネクタを提供する。
【００１１】
また、本発明は、第７のコネクタとして、第１乃至第６のいずれかのコネクタであって、
前記コネクタは、互いに別体である２以上の前記第１端子と、互いに別体である２以上の前記第２端子とを備えており、
前記第１端子は、前記第２端子と夫々対応しており、
前記ハウジングは、前記２以上の第１端子が前記上下方向と直交するピッチ方向に並び且つ前記２以上の第２端子が前記ピッチ方向に並ぶように、前記第１端子と前記第２端子とを保持しており、
前記第１端子の一つと、当該第１端子に対応する前記第２端子とは、前記ピッチ方向において、同じ位置に位置している
コネクタを提供する。
【００１２】
また、本発明は、第８のコネクタとして、第７のコネクタであって、
前記絶縁部材は、互いに別体である２以上の絶縁部を備えており、
前記絶縁部は、前記第２端子に夫々対応して設けられている
コネクタを提供する。
【００１３】
また、本発明は、第９のコネクタとして、第７のコネクタであって、
前記絶縁部材は、複数の絶縁部を有する単一の部材からなり、
前記絶縁部は、前記第２端子に夫々対応して設けられている
コネクタを提供する。
【発明の効果】
【００１４】
第１端子の上顎部の上側接点が対象物を下側に押し付ける一方、押された対象物は第２端子の下側接点と絶縁部材とを介して第１端子の下顎部の下側受部に押し付けられる。このようにして、第１端子の上顎部と下顎部との間で力のバランスが図られることから、ハウジングに不要な負荷が加わることがない。従って、ハウジングのサイズを小型化することができ、コネクタ全体のサイズを小型化することができる。
【図面の簡単な説明】
【００１５】
【図１】本発明の第１の実施の形態によるコネクタを示す斜視図である。図示されたコネクタに含まれるアクチュエータは開状態にある。
【図２】図１のコネクタをＡ−Ａ線に沿って示す断面図である。
【図３】図１のコネクタを示す斜視図である。アクチュエータは閉状態にある。
【図４】図３のコネクタをＢ−Ｂ線に沿って示す断面図である。
【図５】図１のコネクタに含まれる第１端子を示す斜視図である。
【図６】図１のコネクタに含まれる第２端子を示す斜視図である。
【図７】図２のコネクタに含まれるハウジングを示す断面図である。
【図８】図１のコネクタに含まれる絶縁部材を示す斜視図である。
【図９】図１のコネクタに含まれるアクチュエータを示す斜視図である。
【図１０】図９のアクチュエータをＣ−Ｃ線に沿って示す断面図である。
【図１１】図３のコネクタに接続されている対象物を示す斜視図である。
【図１２】図１１の対象物をＤ−Ｄ線に沿って示す断面図である。
【図１３】本発明の第２の実施の形態によるコネクタを示す斜視図である。図示されたコネクタに含まれるアクチュエータは開状態にある。
【図１４】図１３のコネクタをＥ−Ｅ線に沿って示す断面図である。
【図１５】図１３のコネクタを示す斜視図である。アクチュエータは閉状態にある。
【図１６】図１５のコネクタをＦ−Ｆ線に沿って示す断面図である。
【図１７】図１３のコネクタに含まれる絶縁部材を示す斜視図である。
【図１８】本発明の第３の実施の形態によるコネクタを示す斜視図である。図示されたコネクタに含まれるアクチュエータは開状態にある。
【図１９】図１８のコネクタをＧ−Ｇ線に沿って示す断面図である。
【図２０】図１８のコネクタを示す斜視図である。アクチュエータは閉状態にある。
【図２１】図２０のコネクタをＨ−Ｈ線に沿って示す断面図である。
【図２２】図１９のコネクタに含まれるハウジングを示す断面図である。
【図２３】図１８のコネクタに含まれる絶縁部材を示す斜視図である。
【図２４】特許文献１のコネクタを示す斜視断面図である。
【発明を実施するための形態】
【００１６】
（第１の実施の形態）
図１乃至図４を参照すると、本発明の第１の実施の形態によるコネクタ１０は、回路基板（図示せず）に搭載固定されると共に板状又はシート状の対象物７００と接続可能なものである。図１１及び図１２に示されるように、対象物７００は、上下方向（Ｚ方向）において上面７１０及び下面７３０を有している。上面７１０には複数の上側信号線７２０が形成されており、下面７３０には複数の下側信号線７４０が形成されている。複数の上側信号線７２０は、上面７１０上において、上下方向と直交するピッチ方向（Ｙ方向）に並べられている。同様に、複数の下側信号線７４０は、下面７３０上において、ピッチ方向に並べられている。
【００１７】
図１乃至図４から理解されるように、コネクタ１０は、複数の導電体からなる第１端子１００と、複数の導電体からなる第２端子３００と、絶縁部材４００と、絶縁体からなるハウジング５００と、絶縁体からなるアクチュエータ６００とを備えている。複数の第１端子１００は、互いに別体である。同様に、複数の第２端子３００は、互いに別体である。また、本実施の形態において、第１端子１００の数と第２端子３００の数は同じであり、第１端子１００は第２端子３００に夫々対応している。
【００１８】
図７に示されるように、ハウジング５００には、受容部５１０と、アクチュエータ収容部５２０と、複数の端子収容部５３０と、載置部５４０が形成されている。ハウジング５００は、上下方向及びピッチ方向の双方と直交する前後方向（Ｘ方向）において、前端５０２及び後端５０４を有している。受容部５１０は、前端５０２において開口している。アクチュエータ収容部５２０は、後端５０４側に位置しており、後方（＋Ｘ方向）及び上方（＋Ｚ方向）に開いている。端子収容部５３０は、第１端子１００に夫々対応しており、受容部５１０とアクチュエータ収容部５２０との間を繋いでいる。載置部５４０は、受容部５１０の底面のうちの後側（＋Ｘ側）の領域であり、端子収容部５３０の一部を構成する溝が形成されているものの、基本的には、前後方向及びピッチ方向で規定される平面（ＸＹ平面）と平行な平面を有している。
【００１９】
図５に示されるように、各第１端子１００は、第１被保持部１１０と、第１被固定部１２０と、第１端子主部２００とを有している。図２及び図４に示されるように、第１被保持部１１０は、ハウジング５００に保持される部位である。本実施の形態において、第１被保持部１１０は、コネクタ１０の後端（＋Ｘ側端部）近傍に位置している。第１被固定部１２０は、コネクタ１０が回路基板（図示せず）に搭載固定されたときに、その回路基板に固定される部位である。本実施の形態の第１被固定部１２０は、コネクタ１０の後端近傍に位置している。
【００２０】
図５に示されるように、第１端子１００の第１端子主部２００は、上顎部２１０と、下顎部２３０と、それらを連結する連結部２５０と、被作動部２６０とを有している。上顎部２１０は、連結部２５０から前方（−Ｘ方向）に延びている。上顎部２１０には、上側接点２２０が設けられている。上側接点２２０は、下方（−Ｚ方向）に突出している。上側接点２２０は、上顎部２１０や連結部２５０が弾性変形することにより、少なくとも上下方向において移動可能となっている。下顎部２３０は、連結部２５０から前方に延びており、上下方向において上顎部２１０よりも下方に位置している。下顎部２３０には、下側受部２４０が設けられている。本実施の形態の下側受部２４０は、長方形形状の平面（具体的には、上下方向と直交する平面）を有している。前後方向において、下側受部２４０は、上側接点２２０とオーバーラップしている。換言すると、前後方向において、上側接点２２０の位置は、下側受部２４０の領域内に含まれている。即ち、第１端子１００を単体で見た場合（コネクタ１０に組み込む前においては）、上側接点２２０は、下側受部２４０と上下方向において対向している。被作動部２６０は、連結部２５０と共にＣ字状の形状を構成している。被作動部２６０は、後述するように、アクチュエータ６００により、作動される部位である。
【００２１】
図２及び図４に示されるように、第１被保持部１１０がハウジング５００に保持され、それによって、第１端子１００はハウジング５００に組み込まれている。詳しくは、図３から理解されるように、複数の第１端子１００はピッチ方向に並べられている。また、図２に示されるように、上側接点２２０が受容部５１０内に突出した状態で、第１端子１００は、端子収容部５３０に部分的に収容されている。なお、本実施の形態においては、図２及び図４に示されるように、被作動部２６０は、アクチュエータ収容部５２０内に部分的に収容されている。
【００２２】
図２、図５及び図６から明らかなように、第２端子３００は、第１端子１００とは別体である。図６に示されるように、各第２端子３００は、第２被保持部３１０と、第２被固定部３２０と、支持部３３０と、被支持部３４０とを有している。図１、図２、図６及び図７から理解されるように、第２被保持部３１０は、ハウジング５００に保持される部位である。本実施の形態において、第２被保持部３１０は、コネクタ１０の前端（−Ｘ側端部）近傍に位置している。第２被固定部３２０は、コネクタ１０が回路基板（図示せず）に搭載固定されたときに、その回路基板に固定される部位である。本実施の形態の第２被固定部３２０は、コネクタ１０の前端近傍に位置している。図６に示されるように、支持部３３０は、被支持部３４０を支持している。被支持部３４０は、支持部３３０の弾性変形により、少なくとも上下方向において移動可能である。被支持部３４０には、下側接点３５０と、押付部３６０とが設けられている。図２及び図６から理解されるように、下側接点３５０は上方に向いており、押付部３６０は下方に向いている。被支持部３４０が上下方向に移動可能なことから理解されるように、本実施の形態の下側接点３５０及び押付部３６０は上下方向に移動可能である。
【００２３】
図２及び図４に示されるように、第２端子３００は、ハウジング５００に保持されている。詳しくは、図１に示されるように、複数の第２端子３００はピッチ方向に並べられている。図２及び図４から理解されるように、第１端子１００とそれに対応する第２端子３００とは、ピッチ方向において同じ位置に位置している。更に、図２から理解されるように、下側接点３５０は受容部５１０内に突出している。
【００２４】
図７乃至図９から理解されるように、本実施の形態の絶縁部材４００は、ハウジング５００やアクチュエータ６００とは別体である。但し、本発明はこれに限定されるわけではなく、後述する動作が可能なのであれば、ハウジング５００やアクチュエータ６００の一部を絶縁部材としてもよい。
【００２５】
図８に示されるように、絶縁部材４００は、複数の絶縁部４１０とそれらを連結する連結部４２０とを有している。即ち、本実施の形態の絶縁部材４００は、複数の絶縁部４１０を有する単一の部材からなる。図２及び図８から理解されるように、絶縁部４１０は、第２端子３００に夫々対応している。即ち、絶縁部４１０の数は、第２端子３００の数に等しい。絶縁部材４００の連結部４２０は部分的にハウジング５００の載置部５４０に載置され、絶縁部４１０は第１端子１００の下側受部２４０上に夫々設けられる。この際、絶縁部材４００をハウジング５００の載置部５４０や第１端子１００の下側受部２４０に接着固定することとしてもよい。この状態において、第２端子３００が取り付けられると、絶縁部材４００の絶縁部４１０は第２端子３００の押付部３６０と第１端子１００の下側受部２４０との間に挟まれることとなり、それによって、第１端子１００と第２端子３００は絶縁されている。
【００２６】
図２に示されるように、本実施の形態において、上下方向に平行な直線を想定した場合に、上側接点２２０、下側接点３５０、押付部３６０、絶縁部４１０及び下側受部２４０は、想定された直線上に位置している。換言すると、上側接点２２０、下側接点３５０、押付部３６０、絶縁部４１０及び下側受部２４０は、上下方向に沿って一直線上に並んでいる。
【００２７】
図９に示されるように、アクチュエータ６００には複数の溝部６１０が形成されている。溝部６１０は、第１端子１００（図２参照）と夫々対応している。図１０に示されるように、各溝部６１０内には、作動カム６２０が設けられている。図２及び図４に示されるように、アクチュエータ６００は、アクチュエータ収容部５２０内に部分的に収容されると共に、作動カム６２０が被作動部２６０間に位置するように、第１端子１００に取り付けられている。この取り付けにより、アクチュエータ６００は、図２に示される開状態と図４に示される閉状態との間で回転することができる。
【００２８】
図２から理解されるように、アクチュエータ６００が開状態にあるとき、作動カム６２０は被作動部２６０に負荷を与えていない。このとき、上側接点２２０と下側接点３５０との上下方向における距離は対象物７００（図４参照）の厚みより大きい。従って、アクチュエータ６００が開状態にあるとき、対象物７００を受容部５１０に挿入力なしで挿入することができる。
【００２９】
一方、図４から理解されるように、アクチュエータ６００が閉状態にあるとき、作動カム６２０は被作動部２６０間を押し広げており、そのため、上側接点２２０が下方に移動している。詳しくは、対象物７００がコネクタ１０に接続されたとき、上顎部２１０は上側接点２２０を対象物７００の上側信号線７２０に押し付けている。また、このとき、下側信号線７４０が下側接点３５０を下方に押圧すると共に押付部３６０が絶縁部材４００の絶縁部４１０を下側受部２４０に対して押し付けている。具体的には、対象物７００がコネクタ１０に接続されたとき、下側接点３５０及び押付部３６０を有する被支持部３４０と絶縁部材４００の絶縁部４１０とは、対象物７００の下面７３０と下側受部２４０との間に挟まれている。このように、上顎部２１０から加えられた力が下顎部２３０によって受け止められることから、ハウジング５００には対象物７００の接続に伴う不要な負荷が加わることがない。従って、本実施の形態によれば、ハウジング５００を小型化することができ、コネクタ１０全体を小型化することができる。
【００３０】
特に、本実施の形態においては、対象物７００がコネクタ１０に接続されたとき、対象物７００は上下方向において上側接点２２０と下側接点３５０に挟まれている。そのため、対象物７００を支持するための手段を設ける必要がない。但し、本発明はこれに限定されるわけではなく、例えば、対象物７００を支持する部位又は部材を対象物７００の上側又は下側に追加して、その支持部位又は支持部材と上側接点２２０及び下側接点３５０とで対象物７００を三点支持することとしてもよい。
【００３１】
（第２の実施の形態）
図１３乃至図１７を参照すると、本発明の第２の実施の形態によるコネクタ１０Ａは、絶縁部材４００Ａを除き、上述した第１の実施の形態によるコネクタ１０（図１参照）と同じ構成を備えている。そのため、図１３乃至図１７に示される構成要素のうち、第１の実施の形態と同様の構成要素に対しては同一の参照符号を付すこととする。図１３乃至図１７から理解されるように、本実施の形態のコネクタ１０Ａは、第１端子１００と、第２端子３００と、絶縁部材４００Ａと、ハウジング５００と、アクチュエータ６００とを備えている。このうち、第１端子１００と、第２端子３００と、ハウジング５００と、アクチュエータ６００とは、上述した第１の実施の形態のコネクタ１０のものと同じ構造を有するものであるので、これらについては、詳細な説明を省略する。
【００３２】
図１７に示されるように、本実施の形態の絶縁部材４００Ａは、複数の絶縁部４１０Ａのみからなる。即ち、本実施の形態の絶縁部４１０Ａは、互いに別体であり、連結されていない。絶縁部４１０Ａは、第２端子３００（図１４参照）に夫々対応して設けられている。
【００３３】
具体的には、図１４及び図１６に示されるように、絶縁部４１０Ａ（絶縁部材４００Ａ）は、接着剤で下側受部２４０に仮止めされた上で、上下方向において、第１端子１００の下顎部２３０の下側受部２４０と第２端子３００の被支持部３４０の押付部３６０との間に挟まれている。絶縁部４１０Ａの仮止めは、下側受部２４０ではなく、押付部３６０になされていてもよい。
【００３４】
図１６に示されるように、コネクタ１０Ａのアクチュエータ６００を閉状態にすると、上顎部２１０の上側接点２２０が対象物７００の上面７１０に押し付けられるが、その力を第２端子３００と絶縁部材４００Ａを介して下顎部２３０の下側受部２４０で受け止めていることから、ハウジング５００には対象物７００の接続に伴う不要な負荷が加わることがない。従って、本実施の形態によれば、ハウジング５００を小型化することができ、コネクタ１０Ａ全体を小型化することができる。
【００３５】
（第３の実施の形態）
図１８乃至図２３を参照すると、本発明の第３の実施の形態によるコネクタ１０Ｂは、絶縁部材４００Ｂ及びハウジング５００Ｂを除き、上述した第１の実施の形態によるコネクタ１０（図１参照）と同じ構成を備えている。そのため、図１８乃至図２３に示される構成要素のうち、第１の実施の形態と同様の構成要素に対しては同一の参照符号を付すこととする。図１８乃至図２３から理解されるように、本実施の形態のコネクタ１０Ｂは、第１端子１００と、第２端子３００と、絶縁部材４００Ｂと、ハウジング５００Ｂと、アクチュエータ６００とを備えている。このうち、第１端子１００と、第２端子３００と、アクチュエータ６００とは、上述した第１の実施の形態のコネクタ１０のものと同じ構造を有するものであるので、これらについては、詳細な説明を省略する。
【００３６】
図２２に示されるように、ハウジング５００Ｂには、受容部５１０と、アクチュエータ収容部５２０と、複数の端子収容部５３０と、載置部５４０Ｂが形成されている。このうち、受容部５１０と、アクチュエータ収容部５２０と、端子収容部５３０とは、上述した第１の実施の形態のハウジング５００（図７参照）と基本的に同じものである。載置部５４０Ｂは、受容部５１０の底面のうちの前側（−Ｘ側）の領域であり、端子収容部５３０の一部を構成する溝が形成されているものの、基本的には、前後方向及びピッチ方向で規定される平面（ＸＹ平面）と平行な平面を有している。特に、図１９及び図２１から理解されるように、本実施の形態の載置部５４０Ｂは、上下方向において、下側受部２４０とほぼ同じ位置にある。
【００３７】
図２３に示されるように、本実施の形態の絶縁部材４００Ｂは、一本の細長い板状の形状を有している。この絶縁部材４００Ｂには、複数の絶縁部４１０Ｂと、複数の連結部４２０Ｂとが含まれている。即ち、絶縁部材４００Ｂは、複数の絶縁部４１０Ｂを有する単一の部材からなる。絶縁部４１０Ｂは、第２端子３００（図２１参照）に夫々対応して設けられており、ピッチ方向において互いに離れて位置している。各連結部４２０Ｂは、ピッチ方向において隣り合う２つの絶縁部４１０Ｂ間を連結している。
【００３８】
図１８、図１９及び図２１に示されるように、絶縁部材４００Ｂは載置部５４０Ｂ上に載置されている。この載置により、図１９及び図２１に示されるように、絶縁部材４００Ｂの絶縁部４１０Ｂは、上下方向において、第１端子１００の下顎部２３０の下側受部２４０と第２端子３００の被支持部３４０の押付部３６０との間に挟まれている。
【００３９】
図２１に示されるように、コネクタ１０Ｂのアクチュエータ６００を閉状態にすると、上顎部２１０の上側接点２２０が対象物７００の上面７１０に押し付けられるが、その力を第２端子３００と絶縁部材４００Ｂを介して下顎部２３０の下側受部２４０で受け止めていることから、ハウジング５００Ｂには対象物７００の接続に伴う不要な負荷が加わることがない。従って、本実施の形態によれば、ハウジング５００Ｂを小型化することができ、コネクタ１０Ｂ全体を小型化することができる。
【００４０】
以上、本発明について、複数の実施の形態を掲げて具体的に説明してきたが、本発明はこれに限定されるわけではなく、種々の変形が可能である。
【００４１】
例えば、上述した実施の形態のコネクタ１０，１０Ａ，１０Ｂは、いずれもアクチュエータ６００を備えていたが、本発明はこれに限定されるわけではなく、コネクタ１０，１０Ａ，１０Ｂはアクチュエータ６００を有さず、そのため、対象物７００をコネクタ１０，１０Ａ，１０Ｂに挿入する際に挿入力を必要とするようなものであってもよい。
【００４２】
また上述した実施の形態において、絶縁部材４００，４００Ａ，４００Ｂの絶縁部４１０，４１０Ａ，４１０Ｂは、第２端子３００の押付部３６０と第１端子１００の下側受部２４０との間に介在して、両者を互いから絶縁しているが、本発明はこれに限定されるわけではない。絶縁部材４００，４００Ａ，４００Ｂの絶縁部４１０，４１０Ａ，４１０Ｂは、例えば、対象物７００がコネクタ１０，１０Ａ，１０Ｂに接続されたときには、第２端子３００の押付部３６０と第１端子１００の下側受部２４０との間に挟まれていなければならないが、対象物７００がコネクタ１０，１０Ａ，１０Ｂに接続される前は、第２端子３００の押付部３６０と第１端子１００の下側受部２４０の少なくとも一方が絶縁部材４００，４００Ａ，４００Ｂの絶縁部４１０，４１０Ａ，４１０Ｂから離れていてもよい。
【００４３】
上述した実施の形態の下側受部２４０の直下にはハウジング５００，５００Ｂの一部が位置していたが、本発明はこれに限定されるわけではない。例えば、下側受部２４０の直下にスペースが形成されるような形状をハウジング５００，５００Ｂが有していてもよく、それによって、下側受部２４０が、下顎部２３０や連結部２５０の弾性変形により、上下方向において移動可能となっていてもよい。
【符号の説明】
【００４４】
１０，１０Ａ，１０Ｂ        コネクタ
１００        第１端子
１１０        第１被保持部
１２０        第１被固定部
２００        第１端子主部
２１０        上顎部
２２０        上側接点
２３０        下顎部
２４０        下側受部
２５０        連結部
２６０        被作動部
３００        第２端子
３１０        第２被保持部
３２０        第２被固定部
３３０        支持部
３４０        被支持部
３５０        下側接点
３６０        押付部
４００，４００Ａ，４００Ｂ        絶縁部材
４１０，４１０Ａ，４１０Ｂ        絶縁部
４２０，４２０Ｂ        連結部
５００，５００Ｂ        ハウジング
５０２        前端
５０４        後端
５１０        受容部
５２０        アクチュエータ収容部
５３０        端子収容部
５４０，５４０Ｂ        載置部
６００        アクチュエータ
６１０        溝部
６２０        作動カム
７００        対象物
７１０        上面
７２０        上側信号線
７３０        下面
７４０        下側信号線
【図１】
0006293634.tif 000002
【図２】
0006293634.tif 000003
【図３】
0006293634.tif 000004
【図４】
0006293634.tif 000005
【図５】
0006293634.tif 000006
【図６】
0006293634.tif 000007
【図７】
0006293634.tif 000008
【図８】
0006293634.tif 000009
【図９】
0006293634.tif 000010
【図１０】
0006293634.tif 000011
【図１１】
0006293634.tif 000012
【図１２】
0006293634.tif 000013
【図１３】
0006293634.tif 000014
【図１４】
0006293634.tif 000015
【図１５】
0006293634.tif 000016
【図１６】
0006293634.tif 000017
【図１７】
0006293634.tif 000018
【図１８】
0006293634.tif 000019
【図１９】
0006293634.tif 000020
【図２０】
0006293634.tif 000021
【図２１】
0006293634.tif 000022
【図２２】
0006293634.tif 000023
【図２３】
0006293634.tif 000024
【図２４】
0006293634.tif 000025